【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
加圧流体源と、
前記流体源と流体連通して配置される主圧力容器であって、前記主圧力容器は、第１の期待寿命を有すると共に、第１の構造的特徴を備える、前記主圧力容器と、
前記流体源と流体連通すると共に、前記主圧力容器と流体連通して配置される補助圧力容器であって、前記補助圧力容器は、前記第１の期待寿命よりも短い第２の期待寿命を有すると共に、第２の構造的特徴を備える、前記補助圧力容器と、
を備えるシステム。
【請求項２】
前記補助圧力容器は、前記主圧力容器よりも小さい、請求項１に記載のシステム。
【請求項３】
前記第２の構造的特徴は脆弱部であり、前記脆弱部は、前記脆弱部にて前記補助圧力容器が破損するように構成される、請求項１または請求項２に記載のシステム。
【請求項４】
前記第１の構造的特徴は、第１の材料であり、
前記第２の構造的特徴は、前記第１の材料とは異なる第２の材料である、
請求項１〜３のいずれか一項に記載のシステム。
【請求項５】
前記第１の材料は、炭素繊維複合材料であり、
前記第２の材料は、アラミド繊維複合材料である、
請求項４に記載のシステム。
【請求項６】
前記補助圧力容器は、前記流体源に対して、前記主圧力容器と並列に配置される、請求項１〜５のいずれか一項に記載のシステム。
【請求項７】
前記補助圧力容器は、前記流体源と前記主圧力容器との間に直列に配置される、請求項１〜５のいずれか一項に記載のシステム。
【請求項８】
格納構造をさらに備え、前記格納構造は、前記格納構造の内部空間内に前記補助圧力容器を少なくとも部分的に包囲するように構成される、請求項１〜７のいずれか一項に記載のシステム。
【請求項９】
前記補助圧力容器の破損を示す、前記内部空間の物理的状態を検出するように構成されたセンサ、をさらに備える請求項８に記載のシステム。
【請求項１０】
前記センサと信号通信する制御装置、をさらに備える請求項９に記載のシステム。
【請求項１１】
前記制御装置と信号通信する表示装置、をさらに備える請求項１０に記載のシステム。
【請求項１２】
前記流体源と前記主圧力容器との間に配置されるバルブ、をさらに備え、前記バルブは、前記制御装置と信号通信する、請求項１０または請求項１１に記載のシステム。
【請求項１３】
主圧力容器の差し迫る破損を予測するために補助圧力容器を用いる方法であって、
前記主圧力容器を加圧流体源と流体接続することと、
前記補助圧力容器を、前記流体源と流体連通すると共に、前記主圧力容器と流体連通するように流体接続することと、
前記主圧力容器の破損が発生する前に前記補助圧力容器の破損を引き起こすように、前記補助圧力容器を第１の疲労荷重にさらすことと、
を備える方法。
【請求項１４】
前記補助圧力容器を、格納構造の内部空間に少なくとも部分的に囲い込むことと、
前記内部空間の物理的状態の値を検出することと、
をさらに備える請求項１３に記載の方法。
【請求項１５】
前記検出値を制御装置に通信することと、
前記検出値に応じて、前記補助圧力容器の破損が発生したか否かを判断することと、
をさらに備える請求項１４に記載の方法。
【請求項１６】
表示装置を作動させて前記補助圧力容器の破損をユーザに報知するために前記制御装置から前記表示装置へ信号を送ること、をさらに備える請求項１５に記載の方法。
【請求項１７】
前記流体源から前記主圧力容器への流体の流れを停止するために前記制御装置からバルブに信号を送ること、をさらに備える請求項１５または請求項１６に記載の方法。
【請求項１８】
前記主圧力容器を前記第１の疲労荷重よりも小さい第２の疲労荷重にさらすこと、をさらに備える請求項１３〜１７のいずれか一項に記載の方法。
【手続補正２】
【補正対象書類名】明細書
【補正対象項目名】００２３
【補正方法】変更
【補正の内容】
【００２３】
システム１０ａの例示的な実施形態において、補助圧力容器１８は、主圧力容器１２及び流体源１６と流体連通するように「Ｔ字型」コネクタ１９上でソースライン１４に対して並列に連結されてもよい。あるいは、図２のシステム１０ｂに示されるように、補助圧力容器１８は、流体源１６から、圧力容器１２の中へ、または、圧力容器１２から外への加圧流体の流れと一直線になるようにソースライン１４に連結されてもよい（その結果、補助圧力容器１８と主圧力容器１２は、直列に配列される）。この実施形態においては、流体は、補助容器１８を通って、圧力容器１２の中へ、または、圧力容器１２から外へ流れる。補助容器１８、圧力容器１２、及び流体源１６は、補助容器１８が圧力容器１２と実質的に同じ動作条件にさらされる任意の配置で連結され得ることが考えられる。
【手続補正３】
【補正対象書類名】明細書
【補正対象項目名】００２６
【補正方法】変更
【補正の内容】
【００２６】
制御装置２６は、物理的状態の検出値に関してセンサ２４から信号を受け取り、検出値に応じて、補助圧力容器１８の破損が発生したか否かを判断するためにソフトウェア（図示なし）を実行する。例示的な実施形態において、制御装置２６は、例えば、表示装置２８を動作させ、かつ／または、主圧力容器１２の使用を止めることにより、補助圧力容器１８の破損に対応するように構成される。一例において、表示装置２８を動作させることは、補助圧力容器１８の破損の、ユーザに対する可視及び／または可聴の信号または警報を作動させるために制御装置２６から信号を送ることを含む。他の例において、主圧力容器１２の使用を止めることは、例えば、制御装置２６から信号を送ることで主圧力容器１２と流体源１６との間のバルブ３４を閉じて流体源１６から主圧力容器１２への流体の流れを停止することにより、主圧力容器１２と流体源１６との接続を断つことを含む。
【手続補正４】
【補正対象書類名】明細書
【補正対象項目名】００２８
【補正方法】変更
【補正の内容】
【００２８】
例示的な実施形態において、補助圧力容器１８の「破損」は、容器の破裂、または、より小さな破損であって、閾値量よりも多くの流体の漏出を生じる破損、を含む。このような閾値量はユーザにより設定されてもよく、及び／または、例えば、センサ２４によりその値が特定される被検出物理的状態を含む要因に応じて、制御装置２６が実行するソフトウェアにより特定されてもよい。例えば、システム１０ｃ内の加圧流体が低温流体である場合には、制御装置２６は、センサ２４が、予め定められた閾値温度未満である格納構造２２の内部空間３８の温度値を返した場合に、補助圧力容器１８の破損が発生したと判断してもよい。他の例としては、システム１０ｃ内の加圧流体が水素である場合に、制御装置２６は、センサ２４が、予め定められた水素濃度の閾値を超える格納構造２２の内部空間３８内の水素濃度値を返した場合に、補助圧力容器１８の破損が発生したと判断してもよい。さらに他の例においては、制御装置２６は、センサ２４が、予め定められた閾値圧力を超える格納構造２２の内部空間３８内の気体の圧力値を返した場合に、補助圧力容器１８の破損が発生したと判断してもよい。制御装置２６が実行するソフトウェアは、補助圧力容器１８の破損が発生したか否かを判断するために、センサ２４により返された物理的状態の値の任意の組み合わせを利用するようにプログラムされてもよい。